【手続補正書】
【提出日】平成18年9月21日(2006.9.21)
【手続補正１】
【補正対象書類名】明細書
【補正対象項目名】特許請求の範囲
【補正方法】変更
【補正の内容】
【特許請求の範囲】
【請求項１】
光透過部と、
前記光透過部の入光面から入光した光の一部を、その出光面から出光させるように反射させる反射部とを備え、
前記反射部は、前記入光面での入光角度よりも、前記出光面の出光角度が小さくなるように反射させること
を特徴とする光線方向制御シート。
【請求項２】
請求項１に記載された光線方向制御シートにおいて、
前記反射部は、出光面からの光の出光角度が−４０度〜＋４０度となるように反射すること
を特徴とする光線方向制御シート。
【請求項３】
請求項１又は請求項２に記載された光線方向制御シートにおいて、
前記反射部は、その反射面が、前記入光面の法線に対して５〜１５°の角度をなす斜面、又は、接線が５〜１５°の角度をなす曲面であること
を特徴とする光線方向制御シート。
【請求項４】
請求項１から請求項３までのいずれか１項に記載された光線方向制御シートにおいて、
前記反射部は、その反射面が、屈折率の異なる界面であること
を特徴とする光線方向制御シート。
【請求項５】
請求項１から請求項４までのいずれか１項に記載された光線方向制御シートにおいて、
前記反射部よりも前記入光面側には、遮光部が形成されていること
を特徴とする光線方向制御シート。
【請求項６】
請求項５に記載された光線方向制御シートにおいて、
前記遮光部は、前記光透過部よりも屈折率の低い黒色インクを用いて形成されていること
を特徴とする光線方向制御シート。
【請求項７】
請求項５に記載された光線方向制御シートにおいて、
前記遮光部は、前記光透過部よりも屈折率が低く、光を吸収する粒子を含有していること
を特徴とする光線方向制御シート。
【請求項８】
請求項７に記載された光線方向制御シートにおいて、
前記粒子の平均粒径は、略５μｍであること
を特徴とする光線方向制御シート。
【請求項９】
請求項１から請求項４までのいずれか１項に記載された光線方向制御シートにおいて、
前記反射部は、入光側に遮光層を形成したこと
を特徴とする光線方向制御シート。
【請求項１０】
請求項１から請求項９までのいずれか１項に記載された光線方向制御シートにおいて、
前記反射部は、入光側の光が入光しない部分に、反射層を形成したこと
を特徴とする光線方向制御シート。
【請求項１１】
請求項１から請求項１０までのいずれか１項に記載の光線方向制御シートと、
前記光線方向制御シートの出光側に、その入射面の法線方向に所定間隔で形成された光吸収層を備える出光側光線方向制御シートと、
を備える視認性向上シート。
【請求項１２】
請求項１１に記載の視認性向上シートにおいて、
前記出光側光線方向制御シートは、入光の位置が、前記光線方向制御シートの隣接する入光部の隣接する端部に、その端部からその入光部に向かう方向に入光する光のうち、最大の入光角を持つ光が出光したのち、交差する点の付近となるように配置したこと
を特徴とする視認性向上シート。
【請求項１３】
請求項１２に記載の視認性向上シートにおいて、
前記光線方向制御シートと前記出光側光線方向制御シートとは、スペーサ又は接合層を介して接合されていること
を特徴とする視認性向上シート。
【請求項１４】
請求項１から請求項１０までのいずれか１項に記載の光線方向制御シートと、
前記光線方向制御シートの入光側に配置した光源と、
を備えることを特徴とする光源装置。
【請求項１５】
請求項１１から請求項１３までのいずれか１項に記載の視認性向上シートと、
前記視認性向上シートの入光側に配置した光源と、
を備えることを特徴とする光源装置。
【請求項１６】
請求項１４又は請求項１５に記載の光源装置において、
前記光源からの光を反射する光源側反射層を備えること
を特徴とする光源装置。
【請求項１７】
請求項１４から請求項１６までのいずれか１項に記載の光源装置において、
前記光源は、前記光線方向制御シート又は前記視認性向上シートに含まれる前記光線方向制御シートの入光部に対応する位置に配置されていること
を特徴とする光源装置。
【請求項１８】
請求項１４から請求項１７までのいずれか１項に記載の光源装置において、
前記光線方向制御シートと前記光源とは、その光線方向制御シートの光を入光しない部分と、前記光源の光を発光しない部分とによって接合されていること
を特徴とする光源装置。
【請求項１９】
請求項１から請求項１０までのいずれか１項に記載の光線方向制御シート、請求項１１から請求項１３までのいずれか１項に記載の視認性向上シート、又は、請求項１４から請求項１８までのいずれか１項に記載の光源装置のいずれかを含むディスプレイ。
【請求項２０】
請求項１９に記載のディスプレイにおいて、
前記光線方向制御シートは、少なくとも一方の表面に粘着層が形成されていること
を特徴とするディスプレイ。
【請求項２１】
請求項１９又は請求項２０に記載のディスプレイにおいて、
前記光透過部の前記出光面の幅は、略１４４μｍであること
を特徴とするディスプレイ。
【請求項２２】
請求項１９から請求項２１までのいずれか１項に記載のディスプレイにおいて、
前記光透過部の前記出光面の幅に対する前記光透過部の前記入光面の幅の比率が、略３５％であること
を特徴とするディスプレイ。
【手続補正２】
【補正対象書類名】明細書
【補正対象項目名】００１５
【補正方法】変更
【補正の内容】
【００１５】
請求項４の発明は、請求項１から請求項３までのいずれか１項に記載された光線方向制御シートにおいて、前記反射部は、その反射面が、屈折率の異なる界面であることを特徴とする光線方向制御シートである。
請求項５の発明は、請求項１から請求項４までのいずれか１項に記載された光線方向制御シートにおいて、前記反射部よりも前記入光面側には、遮光部が形成されていることを特徴とする光線方向制御シートである。
請求項６の発明は、請求項５に記載された光線方向制御シートにおいて、前記遮光部は、前記光透過部よりも屈折率の低い黒色インクを用いて形成されていることを特徴とする光線方向制御シートである。
請求項７の発明は、請求項５に記載された光線方向制御シートにおいて、前記遮光部は、前記光透過部よりも屈折率が低く、光を吸収する粒子を含有していること、を特徴とする光線方向制御シートである。
請求項８の発明は、請求項７に記載された光線方向制御シートにおいて、前記粒子の平均粒径は、略５μｍであることを特徴とする光線方向制御シートである。
【手続補正３】
【補正対象書類名】明細書
【補正対象項目名】００１６
【補正方法】変更
【補正の内容】
【００１６】
請求項９の発明は、請求項１から請求項４までのいずれか１項に記載された光線方向制御シートにおいて、前記反射部は、入光側に遮光層を形成したことを特徴とする光線方向制御シートである。
【手続補正４】
【補正対象書類名】明細書
【補正対象項目名】００１７
【補正方法】変更
【補正の内容】
【００１７】
請求項１０の発明は、請求項１から請求項９までのいずれか１項に記載された光線方向制御シートにおいて、前記反射部は、入光側の光が入光しない部分に、反射層を形成したことを特徴とする光線方向制御シートである。
【手続補正５】
【補正対象書類名】明細書
【補正対象項目名】００１８
【補正方法】変更
【補正の内容】
【００１８】
請求項１１の発明は、請求項１から請求項１０までのいずれか１項に記載の光線方向制御シートと、前記光線方向制御シートの出光側に、その入射面の法線方向に所定間隔で形成された光吸収層を備える出光側光線方向制御シートと、を備える視認性向上シートである。
【手続補正６】
【補正対象書類名】明細書
【補正対象項目名】００１９
【補正方法】変更
【補正の内容】
【００１９】
請求項１２に記載の発明は、請求項１１に記載の視認性向上シートにおいて、前記出光側光線方向制御シートは、入光の位置が、前記光線方向制御シートの隣接する入光部の隣接する端部に、その端部からその入光部に向かう方向に入光する光のうち、最大の入光角を持つ光が出光したのち、交差する点の付近となるように配置したことを特徴とする視認性向上シートである。
【手続補正７】
【補正対象書類名】明細書
【補正対象項目名】００２０
【補正方法】変更
【補正の内容】
【００２０】
請求項１３の発明は、請求項１２に記載の視認性向上シートにおいて、前記光線方向制御シートと前記出光側光線方向制御シートとは、スペーサ又は接合層を介して接合されていることを特徴とする視認性向上シートである。
【手続補正８】
【補正対象書類名】明細書
【補正対象項目名】００２１
【補正方法】変更
【補正の内容】
【００２１】
請求項１４の発明は、請求項１から請求項１０までのいずれか１項に記載の光線方向制御シートと、前記光線方向制御シートの入光側に配置した光源と、を備えることを特徴とする光源装置である。
【手続補正９】
【補正対象書類名】明細書
【補正対象項目名】００２２
【補正方法】変更
【補正の内容】
【００２２】
請求項１５の発明は、請求項１１から請求項１３までのいずれか１項に記載の視認性向上シートと、前記視認性向上シートの入光側に配置した光源と、を備えることを特徴とする光源装置である。
【手続補正１０】
【補正対象書類名】明細書
【補正対象項目名】００２３
【補正方法】変更
【補正の内容】
【００２３】
請求項１６の発明は、請求項１４又は請求項１５に記載の光源装置において、前記光源からの光を反射する光源側反射層を備えることを特徴とする光源装置である。
【手続補正１１】
【補正対象書類名】明細書
【補正対象項目名】００２４
【補正方法】変更
【補正の内容】
【００２４】
請求項１７の発明は、請求項１４から請求項１６までのいずれか１項に記載の光源装置において、前記光源は、前記光線方向制御シート又は前記視認性向上シートに含まれる前記光線方向制御シートの入光部に対応する位置に配置されていることを特徴とする光源装置である。
【手続補正１２】
【補正対象書類名】明細書
【補正対象項目名】００２５
【補正方法】変更
【補正の内容】
【００２５】
請求項１８の発明は、請求項１４から請求項１７までのいずれか１項に記載の光源装置において、前記光線方向制御シートと前記光源とは、その光線方向制御シートの光を入光しない部分と、前記光源の光を発光しない部分とによって接合されていることを特徴とする光源装置である。
【手続補正１３】
【補正対象書類名】明細書
【補正対象項目名】００２６
【補正方法】変更
【補正の内容】
【００２６】
請求項１９の発明は、請求項１から請求項１０までのいずれか１項に記載の光線方向制御シート、請求項１１から請求項１３までのいずれか１項に記載の視認性向上シート、又は、請求項１４から請求項１８までのいずれか１項に記載の光源装置のいずれかを含むディスプレイである。
請求項２０の発明は、請求項１９に記載のディスプレイにおいて、前記光線方向制御シートは、少なくとも一方の表面に粘着層が形成されていることを特徴とするディスプレイである。
請求項２１の発明は、請求項１９又は請求項２０に記載のディスプレイにおいて、前記光透過部の前記出光面の幅は、略１４４μｍであること、を特徴とするディスプレイである。
請求項２２の発明は、請求項１９から請求項２１までのいずれか１項に記載のディスプレイにおいて、前記光透過部の前記出光面の幅に対する前記光透過部の前記入光面の幅の比率が、略３５％であることを特徴とするディスプレイである。
【手続補正１４】
【補正対象書類名】明細書
【補正対象項目名】００４０
【補正方法】変更
【補正の内容】
【００４０】
図５は、本発明による光線方向制御シートの第３実施形態を示す図である。
第２実施形態の光線方向制御シート１０−３は、反射部１５の上に、遮光部１６−３を薄く形成したものである。
この形態にすると、遮光層の機能があれば厚い必要はないので、谷部全体に遮光層を形成しなくてもよい。また、遮光層の材料を節約することができる。